(57)【要約】      （修正有）【課題】相互にスタッキング可能で収納性及びデザイン性に優れた飲料容器セットを提供する。【解決手段】飲料容器ＡとＢとの組み合せからなる飲料容器セットであって、飲料容器Ａは、飲み口部１３側が拡径した外形が円錐台形状の本体部１１と、本体部１１の底部１１ｂ側に内装部１２を有し、飲料容器Ｂは、飲み口部２３側が縮径した外形が円錐台形状の本体部２１と、本体部２１の底部２１ｂ側に内装部２２とを有し、飲料容器Ａの内装部１２は飲料容器Ｂの飲み口部２３に内装可能であり、飲料容器Ｂの内装部２２は飲料容器Ａの飲み口部１３に内装可能であることを特徴とする。【選択図】図１
2020110253.tif 000002
【特許請求の範囲】
【請求項１】
飲料容器ＡとＢとの組み合せからなる飲料容器セットであって、
飲料容器Ａは、飲み口部側が拡径した外形が円錐台形状の本体部（１１）と、当該本体部の底部側に内装部（１２）を有し、
飲料容器Ｂは、飲み口部側が縮径した外形が円錐台形状の本体部（２１）と、当該本体部の底部側に内装部（２２）とを有し、
前記飲料容器Ａの内装部（１２）は前記飲料容器Ｂの飲み口部に内装可能であり、
前記飲料容器Ｂの内装部（２２）は前記飲料容器Ａの飲み口部に内装可能であることを特徴とする飲料容器セット。
【請求項２】
飲料容器Ａと飲料容器Ｂとは、共に飲み口の方向を合せ相互に側面が直線状又は曲線状に接触可能であり、
前記相互に接触可能な状態で前記飲料容器Ａの中心線と前記飲料容器Ｂの中心線とが平行になることを特徴とする請求項１記載の飲料容器セット。
【発明の詳細な説明】
【技術分野】
【０００１】
本発明は、複数の異なる形状からなる飲料容器セットに関する。
【背景技術】
【０００２】
例えば特許文献１には、一枚のソーサによって複数のカップをスタッキングすることができる容器セットを開示する。
しかし、同公報に開示する容器セットは、カップ同士をスタッキングできるものではない。
例えば特許文献２には、側部に設けた平面同士を連結可能にした連結カップを開示する。
しかし、これもカップ同士をスタッキングすることができないものである。
【先行技術文献】
【特許文献】
【０００３】
【特許文献１】実用新案登録第３０６５８０１号公報
【特許文献２】実用新案登録第３０４１３５６号公報
【発明の概要】
【発明が解決しようとする課題】
【０００４】
本発明は、相互にスタッキング可能で収納性及びデザイン性に優れた飲料容器セットの提供を目的とする。
【課題を解決するための手段】
【０００５】
本発明に係る飲料容器セットは、飲料容器ＡとＢとの組み合せからなる飲料容器セットであって、飲料容器Ａは、飲み口部側が拡径した外形が円錐台形状の本体部（１１）と、当該本体部の底部側に内装部（１２）を有し、飲料容器Ｂは、飲み口部側が縮径した外形が円錐台形状の本体部（２１）と、当該本体部の底部側に内装部（２２）とを有し、前記飲料容器Ａの内装部（１２）は前記飲料容器Ｂの飲み口部に内装可能であり、前記飲料容器Ｂの内装部（２２）は前記飲料容器Ａの飲み口部に内装可能であることを特徴とする。
ここで内装可能とは、内装部が他方の飲料容器の飲み口部の内側に挿入してスタッキングできることをいう。
このようにすると、飲料容器ＡとＢは交互に複数の段にスタッキング可能となる。
本発明において、外形が円錐台形状とは平面視で外形が概ね円形状であり、側面視で概ね台形形状であることをいい、表面になだらかな凹凸面があったり、いろいろな模様やスリットがあってもよい。
【０００６】
ここで、飲料容器Ａと飲料容器Ｂとは、共に飲み口の方向を合せ相互に側面が直線状又は曲線状に接触可能であり、前記相互に接触可能な状態で前記飲料容器Ａの中心線と前記飲料容器Ｂの中心線とが平行になるのが好ましい。
ここで、側面が直線状又は曲線状に接触するとは、飲料容器Ａ，Ｂの本体部同士が直線状に接触する態様のみならず、側面がなだらかな曲面になっている場合には、その曲面に沿って接触することをいう。
このようにすると、飲料容器ＡとＢとの本体部の接触部に隙間が無くなり、収納スペースが小さくなる。
【発明の効果】
【０００７】
本発明に係る飲料容器セットは、飲料容器Ａ，Ｂを相互に２段あるいは３段以上にスタッキングし、それらの飲み口の方向を合せ、隣同士の飲料容器の側面が相互に重なるように立てて収納した場合であっても、横に寝かすように収納する場合にあっても、収納スペースの省スペース化が可能であり、相互に側面同士が干渉し、容器が収納箱から飛び出すのを防止する。
【図面の簡単な説明】
【０００８】
【図１】本発明に係る飲料容器ＡとＢとの構成例を示し、（ａ）は飲料容器Ａ，Ｂの側面図を示し、（ｂ），（ｃ）は飲み口部側から見た斜視図、（ｄ）は内装部側から見た斜視図を示す。
【図２】（ａ），（ｂ）は収納箱に飲料容器Ａ，Ｂを収納した状態を示す。
【図３】（ａ），（ｂ）は飲料容器ＡとＢとスタッキングした状態を示す。
【図４】飲料容器を３段にスタッキングし、箱詰めした状態を模式的に示す。
【発明を実施するための形態】
【０００９】
図１に飲料容器ＡとＢとの構造例を示す。
飲料容器Ａはタンブラー型のコップ形状の例であり、本体部１１とその底部側の内装部１２とからなる。
本体部１１は、飲み口部１３側の内径ｄＡが内側底部１１ｂの内径よりも大きい飲み口部１３側が拡径した外形円錐台形状の外周壁１１ａとなっている。
また、この外周壁１１ａは飲み口部１３側の外径ｄ３が飲料容器Ｂの段差部２２ａの外径とほぼ同じになっている。
コップ形状の本体部１１の底部側には、後述する飲料容器Ｂの飲み口部２３の内側に挿入できる内装部１２を有する。
内装部１２はスタッキング高さが定まるように、この内装部１２の根元側に拡径した段差部１２ａを有する。
【００１０】
飲料容器Ｂは本体部２１とその底部側の内装部２２とからなる。
飲料容器Ｂは飲料容器Ａとは逆に、本体部２１の飲み口部２３の外径ｄ１よりも底部側の外径よりも小さく縮径した円錐台形状になった外周壁２１ａとなっているとともに、内装部２２が飲料容器Ａの飲み口部の内径ｄＡの内側に内装（挿入）できるように、この内装部２２の根元径ｄＡが飲み口部の内径ｄＡとほぼ同じか、やや小さく設定した円錐台になっている。
内装部２２の先端径ｄ２は飲料容器Ａの飲み口部の内側に納まるように根元径ｄＡより、やや小さくなっている。
また、スタッキング高さが定まるように内装部２２の根元側に拡径した段差部２２ａを有する。
【００１１】
このように飲料容器ＡとＢとは、本体部の拡径方向が相互に逆方向になっていることで、図１（ａ）〜（ｄ）に示すように飲み口部１３，２３の方向を合せた状態で本体部１１と２１の側面が直線で重なるように並べることができる。
この本体部の外周壁１１ａと２１ａとの傾斜角は必ずしも上下対称にする必要はないが、図２に示すように飲料容器Ａの中心部ＯＡと飲料容器Ｂの中心線ＯＢとが平行になるように設定すると、箱１に収納しやすく、従来のタンブラー型コップを収納するのに比較して、横方向の収納スペースが小さくなる。
また、図３に示すように飲料容器ＡとＢとは、いずれを下側にしてもスタッキングすることが可能であるとともに、スタッキング方法を相互に逆にすることで、本体部の外周壁が重なるように立てたり、横に寝かせて並べることができる。
図４には飲料容器を、それぞれ交互に３段にスタッキングし、隣同士の本体部１１，２１とが接触するように箱１に箱詰めした例を示す。
飲料容器ＡとＢでは、本体部の縮径（拡径）方向が逆になっているので、収納スペースが小さくなるだけでなく、相互に箱から飛び出すのを防ぐ。
また、使用の際に飲み口の方向が全て同じなので、箱から取り出して水等ですすぐのが容易である。
【００１２】
本発明に係る飲料容器Ａ，Ｂを製作する材料に制限はない。
例えば、黄銅合金で製作すると、本体部同士を軽くぶつけるように打ちつけるだけで共鳴音がなり、乾杯容器として楽しむこともできる。
【符号の説明】
【００１３】
１１        本体部
１２        内装部
１２ａ      段差部
１３        飲み口部
２１        本体部
２２        内装部
２２ａ      段差部
２３        飲み口部
【図１】
2020110253.tif 000003
【図２】
2020110253.tif 000004
【図３】
2020110253.tif 000005
【図４】
2020110253.tif 000006